(57)【要約】【課題】モータ内の巻線の層間短絡を任意のモータ動作状態において専用装置を用いずに検出することができる短絡検出装置、モータ制御装置及び数値制御システムを実現する。【解決手段】複数組の多相巻線が各組独立してステータに配置されるモータ３における層間短絡を検出する短絡検出装置１０は、各組の多相巻線における個々の相の巻線に対応する電気情報を取得する取得部１１と、複数組の多相巻線における互いに同じ相の巻線に対し取得部１１が取得した電気情報に基づいて、同じ相の巻線のいずれかに層間短絡が発生したか否かを判定する判定部１２とを備える。【選択図】図１
2020114149.tif 000002
【特許請求の範囲】
【請求項１】
複数組の多相巻線が各組独立してステータに配置されるモータにおける層間短絡を検出する短絡検出装置であって、
各組の前記多相巻線における個々の相の巻線に対応する電気情報を取得する取得部と、
複数組の前記多相巻線における互いに同じ相の巻線に対し前記取得部が取得した前記電気情報に基づいて、前記同じ相の巻線のいずれかに層間短絡が発生したか否かを判定する判定部と、
を備える、短絡検出装置。
【請求項２】
前記電気情報は、前記個々の相の巻線に流れる電流の波形または前記個々の相の巻線に生じる電圧の波形である、請求項１に記載の短絡検出装置。
【請求項３】
前記判定部は、前記互いに同じ相の巻線に対し前記取得部が取得した前記波形を前記組同士の間で相互に比較し、いずれか１組の前記多相巻線における前記波形の振幅と、他の組の前記多相巻線における前記波形の振幅との差が、予め規定された振幅閾値より大きい場合、前記１組の前記多相巻線の前記同じ相において前記層間短絡が発生したと判定する、請求項２に記載の短絡検出装置。
【請求項４】
前記判定部は、前記互いに同じ相の巻線に対し前記取得部が取得した前記波形を前記組同士の間で相互に比較し、いずれか１組の前記多相巻線における前記波形の位相と、他の組の前記多相巻線における前記波形の位相との差が、予め規定された位相閾値より大きい場合、前記１組の前記多相巻線の前記同じ相において前記層間短絡が発生したと判定する、請求項２に記載の短絡検出装置。
【請求項５】
前記判定部は、前記モータを停止状態から加速させたときに前記互いに同じ相の巻線に対し前記取得部が取得した前記波形の立ち上がり時間を前記組同士の間で相互に比較し、いずれか１組の前記波形の立ち上がり時間と、他の組の前記波形の立ち上がり時間との差が、予め規定された立ち上がり時間閾値より大きい場合、前記１組の前記多相巻線の前記同じ相において前記層間短絡が発生したと判定する、請求項２に記載の短絡検出装置。
【請求項６】
前記モータは、同一指令に基づく制御により前記複数組の各々の前記多相巻線に同一電圧が印加される、請求項１〜５のいずれか一項に記載の短絡検出装置。
【請求項７】
前記電気情報は、前記多相巻線における個々の相の巻線に流れる電流が同一となるように前記組ごとの指令にて個別に制御される前記モータにおける、前記多相巻線内の各巻線に対応する前記指令の振幅である、請求項１に記載の短絡検出装置。
【請求項８】
前記判定部は、前記互いに同じ相の巻線に対し前記取得部が取得した前記指令の振幅を前記組同士の間で相互に比較し、いずれか１組の前記指令の振幅と、他の組の前記指令の振幅との差が、予め規定された指令閾値より大きい場合、前記１組の前記多相巻線の前記同じ相において前記層間短絡が発生したと判定する、請求項７に記載の短絡検出装置。
【請求項９】
前記モータを制御するモータ制御部と、
請求項１〜８のいずれか一項に記載の短絡検出装置と、
を備える、モータ制御装置。
【請求項１０】
請求項９に記載のモータ制御装置を備える、工作機械の数値制御システム。
【発明の詳細な説明】
【技術分野】
【０００１】
本発明は、モータ内の巻線の層間短絡を検出する短絡検出装置、モータ制御装置及び数値制御システムに関する。
【背景技術】
【０００２】
従来、モータ内の巻線における層間短絡（レアショートまたはレイアーショート：Ｌａｙｅｒ  Ｓｈｏｒｔ）の検出は、検査対象のモータの電流波形と、層間短絡のない正常なモータについて事前に測定された電流波形との比較結果に基づいて行われていた。
【０００３】
例えば、３相電動機の回転中の各相の電流波形を検出し、この検出結果に基づき電動機の眉間短絡又は巻線のゆるみの有無を診断する方法において、前記各相の検出電流波形より各相間の位相差の最大のものと最小のものとの差に関連付けた位相不平衡率を求め、また、各相の電流波形の振幅の最大のものと最小のものとの差に関連付けた振幅不平衡率を求め、これらによって電動機の眉間短絡又は巻線のゆるみの有無を判別することを特徴とする電動機の診断方法が知られている（例えば、特許文献１参照。）。
【０００４】
例えば、診断対象となる電気設備に流れる電流から特徴量を検出する特徴量検出手段と、前記電気設備が正常状態のときに前記特徴量検出手段で得られた特徴量の平均と標準偏差とを導出して記憶しておく演算記憶手段と、前記電気設備の診断をする際に、前記特徴量検出手段により得られた特徴量と前記演算記憶手段に記憶されている前記平均と標準偏差とに基づいて決定される楕円体の内側に存在する確率値を求める確率計算手段とを備え、前記電気設備の複数相に流れる電流を同期計測し、各相に流れる電流から各相毎の前記確率値を前記確率計算手段で導出し、各相で得られた確率値をかけ合わせる若しくは足し合わせることで得られた確率値に基づいて、前記電気設備が正常か異常かを診断する診断手段を備えたことを特徴とする電気設備の良否診断システムが知られている（例えば、特許文献２参照。）。
【先行技術文献】
【特許文献】
【０００５】
【特許文献１】特開昭６０−１０９７４２号公報
【特許文献２】特開２０１２−２２０４８５号公報
【発明の概要】
【発明が解決しようとする課題】
【０００６】
モータ内の巻線における層間短絡の検出の際には、層間短絡のない正常なモータの電流波形を事前に測定しておく必要がある。また、層間短絡の検出のために用いられる電流波形は、専用装置（ハードウェア）を用いて測定しなければならず、手間がかかる。また、層間短絡の検出のために用いられる電流波形は、モータが一定速で動作しているときに測定されたものでなければならず、モータの加減速時に測定された電流波形では層間短絡を検出することができないことから、層間短絡を検出できるモータ動作状態が限られていた。したがって、モータ内の巻線の層間短絡を任意のモータ動作状態において専用装置を用いずに検出することができる技術が望まれている。
【課題を解決するための手段】
【０００７】
本開示の一態様によれば、複数組の多相巻線が各組独立してステータに配置されるモータにおける層間短絡を検出する短絡検出装置は、各組の多相巻線における個々の相の巻線に対応する電気情報を取得する取得部と、複数組の多相巻線における互いに同じ相の巻線に対し取得部が取得した電気情報に基づいて、同じ相の巻線のいずれかに層間短絡が発生したか否かを判定する判定部とを備える。
【０００８】
また、本開示の一態様によれば、モータ制御装置は、モータを制御するモータ制御部と、上記短絡検出装置とを備える。
【０００９】
また、本開示の一態様によれば、工作機械の数値制御システムは、上記モータ制御装置を備える。
【発明の効果】
【００１０】
本開示の一態様によれば、モータ内の巻線の層間短絡を、任意のモータ動作状態において専用装置を用いずに検出することができる。
【図面の簡単な説明】
【００１１】
【図１】本開示の実施形態による短絡検出装置、モータ制御装置及び数値制御システムを示す図である。
【図２】４組の独立した三相巻線を有する４巻線モータを例示する概略図である。
【図３】巻線とステータ内のスロットとの位置関係を説明する分解斜視図である。
【図４】４巻線モータの各三相巻線のステータにおける配置例を例示する断面図である。
【図５】複数巻線モータの巻線に発生する層間短絡を説明する図である。
【図６】複数巻線モータの巻線で発生した層間短絡により流れる電流経路を説明する図である。
【図７】層間短絡により生じる循環電流と磁束との関係を説明する図である。
【図８】第１の形態において複数組の三相巻線のうちの１組のＵ相巻線に層間短絡が発生した場合の電流の波形を例示する図である。
【図９】第２の形態において複数組の三相巻線のうちの１組のＵ相巻線に層間短絡が発生した場合の電流の波形を例示する図である。
【図１０】第３の形態において複数組の三相巻線のうちの１組のＵ相巻線に層間短絡が発生した場合の電流の波形を例示する図である。
【図１１】第４の形態による短絡検出処理が実行される短絡検出装置、モータ制御装置及び数値制御システムを示す図である。
【図１２】多相巻線内の各巻線に流れる電流が同一となるように組ごとの指令にて個別に制御される複数巻線モータに対して、第１〜第３の形態による短絡検出処理が実行される短絡検出装置、モータ制御装置及び数値制御システムを示す図である。
【発明を実施するための形態】
【００１２】
以下図面を参照して、モータ内の巻線の層間短絡を検出する短絡検出装置、モータ制御装置及び数値制御システムについて説明する。各図面において、同様の部材には同様の参照符号が付けられている。また、理解を容易にするために、これらの図面は縮尺を適宜変更している。また、図面に示される形態は実施するための一つの例であり、図示された形態に限定されるものではない。
【００１３】
本開示の実施形態による短絡検出装置は、複数組の多相巻線が各組独立してステータに配置されるモータにおける層間短絡を検出する。複数組の多相巻線が各組独立してステータに配置されるモータは、例えば「複数巻線モータ」と称されることがある。以下、本明細書では、多相巻線の組数に応じて「〇巻線モータ」と称する（〇には多相巻線の組数が入る）。例えば、ステータに設けられる多相巻線の組数が４組であるモータを、「４巻線モータ」と称する。ここでは一例として、４組の三相巻線が各組独立してステータに配置される４巻線モータの層間短絡を検出する実施形態について説明するが、三相巻線以外の多相巻線が複数組独立してステータに設けられる複数巻線モータにも本実施形態は適用可能である。
【００１４】
図１は、本開示の実施形態による短絡検出装置、モータ制御装置及び数値制御システムを示す図である。なお、図１並びに後述する図１１及び図１２では、図面を簡明にするために、三相交流のモータ３に係る配線を、慣例に倣い、１本の配線「−」と３本の斜線「／／／」との組合せで表記している。
【００１５】
本開示の実施形態による短絡検出装置１０は、モータ３の各組の多相巻線における個々の相の巻線に対応する電気情報を取得する取得部１１と、複数組の多相巻線における互いに同じ相の巻線に対し取得部１１が取得した電気情報に基づいて、同じ相の巻線のいずれかに層間短絡が発生したか否かを判定する判定部１２とを備える。取得部１１によって取得される電気情報には、例えば、多相巻線の個々の相の巻線に流れる電流の波形、多相巻線の個々の相の巻線に生じる電圧の波形、または、多相巻線における個々の相の巻線に流れる電流が同一となるように制御するための組ごと指令の振幅が含まれる。
【００１６】
また、モータ制御装置１は、モータ制御部２０と、短絡検出装置１０とを備える。モータ制御装置１は、例えば工作機械の数値制御システム１００に設けられる。
【００１７】
図１に示す例では、モータ３は、各組が独立した三相巻線を４組（すなわち３０−１、３０−２、３０−３、３０−４）の独立した三相巻線を有する４巻線モータである。
【００１８】
ここで、４巻線モータの一例について説明する。図２は、４組の独立した三相巻線を有する４巻線モータを例示する概略図である。また、図３は、巻線とステータ内のスロットとの位置関係を説明する分解斜視図である。また、図４は、４巻線モータの各三相巻線のステータにおける配置例を例示する断面図である。図２に示すように、例えば４巻線モータ３のロータ３１の周りには、４組（すなわち３０−１、３０−２、３０−３、３０−４）の独立した三相巻線がステータに配置される。組３０−１の三相巻線におけるＵ相巻線をＵ１、Ｖ相巻線をＶ１、Ｗ相巻線をＷ１とする。また、組３０−２の三相巻線におけるＵ相巻線をＵ２、Ｖ相巻線をＶ２、Ｗ相巻線をＷ２とする。また、組３０−３の三相巻線におけるＵ相巻線をＵ３、Ｖ相巻線をＶ３、Ｗ相巻線をＷ３とする。また、組３０−４の三相巻線におけるＵ相巻線をＵ４、Ｖ相巻線をＶ４、Ｗ相巻線をＷ４とする。よって、４巻線モータにおいて、Ｕ相巻線はＵ１、Ｕ２、Ｕ３及びＵ４であり、Ｖ相巻線はＶ１、Ｖ２、Ｖ３及びＶ４であり、Ｗ相巻線はＷ１、Ｗ２、Ｗ３及びＷ４である。図３に示すように、例えば三相巻線の組３０−１のＷ相巻線Ｗ１は、ステータ４３内のスロット４２に配置される。また、図４に示すように、４組（すなわち３０−１、３０−２、３０−３、３０−４）の独立した三相巻線の各巻線は、ステータ４３内のスロット４２に配置される。
【００１９】
図１に示すように、複数巻線モータを駆動するために、三相巻線の組（すなわち３０−１、３０−２、３０−３、３０−４）毎に、各巻線に駆動電力を供給するためのアンプが設けられる。すなわち、三相巻線の組３０−１には第１のアンプ４−１が接続され、三相巻線の組３０−２には第２のアンプ４−２が接続される。また、三相巻線の組３０−３には第３のアンプ４−３が接続され、三相巻線の組３０−４には第４のアンプ４−４が接続される。
【００２０】
第１のアンプ４−１、第２のアンプ４−２、第３のアンプ４−３及び第４のアンプ４−４は、モータ３を駆動するために、電源部２から供給された直流電力を所望の電圧及び所望の周波数を有する交流電力に変換し、モータ３内の三相巻線の各組（すなわち３０−１、３０−２、３０−３、３０−４）に供給する。このため、第１のアンプ４−１、第２のアンプ４−２、第３のアンプ４−３及び第４のアンプ４−４は、例えばインバータを有する。第１のアンプ４−１、第２のアンプ４−２、第３のアンプ４−３及び第４のアンプ４−４内のインバータは、モータ制御装置１内のモータ制御部２０から受信した駆動指令に基づき各スイッチング素子がオンオフ制御されることにより、電源部２から供給された直流電力を、モータ３を駆動するための交流電力に変換して出力する。これにより、モータ３は、例えば電圧可変及び周波数可変の交流電力に基づいて動作する。インバータは、例えばスイッチング素子及びこれに逆並列に接続されたダイオードのブリッジ回路からなり、例えば三角波比較方式のＰＷＭスイッチング制御に基づいて各スイッチング素子がオンオフ制御される。スイッチング素子の例としては、ＦＥＴなどのユニポーラトランジスタ、バイポーラトランジスタ、ＩＧＢＴ、サイリスタ、ＧＴＯなどがあるが、スイッチング素子の種類自体は本実施形態を限定するものではなく、その他のスイッチング素子であってもよい。
【００２１】
電源部２は、例えば、交流電源（図示せず）から供給された交流電力を直流電力に変換して出力する整流器からなる。また例えば、電源部２は、バッテリであってもよい。
【００２２】
短絡検出装置１０及びモータ制御部２０は、例えばソフトウェアプログラム形式で構築されてもよく、あるいは各種電子回路とソフトウェアプログラムとの組み合わせで構築されてもよい。例えばこれらをソフトウェアプログラム形式で構築する場合は、モータ制御装置１内にある例えばＤＳＰやＦＰＧＡなどの演算処理装置をこのソフトウェアプログラムに従って動作させることで、短絡検出装置１０及びモータ制御部２０の各機能を実現することができる。また、短絡検出装置１０及びモータ制御部２０を有するモータ制御装置１は、例えば工作機械の数値制御システム１００内に設けられてもよい。また、ソフトウェアプログラム形式で構築された短絡検出装置１０は、モータ制御装置１の外部であってかつ数値制御装置１００の内部に設けられてもよく、この場合、数値制御システム１００内にある例えばＤＳＰやＦＰＧＡなどの演算処理装置を、このソフトウェアプログラムに従って動作させることで、短絡検出装置１０の機能を実現することができる。また、短絡検出装置１０の機能を実現するソフトウェアプログラムは、記録媒体に記録されてもよい。
【００２３】
このように、ソフトウェアプログラム形式で構築された短絡検出装置１０は、モータ制御装置１内にある例えばＤＳＰやＦＰＧＡなどの演算処理装置や数値制御システム１００内にある例えばＤＳＰやＦＰＧＡなどの演算処理装置が、このソフトウェアプログラムに従って動作することで実現されるので、従来のように層間短絡の検出のための専用装置を用いる必要はない。
【００２４】
続いて、本開示の実施形態による短絡検出装置１０の動作原理について、図５〜図７を参照して説明する。
【００２５】
図５は、複数巻線モータの巻線に発生する層間短絡を説明する図である。また、図６は、複数巻線モータの巻線で発生した層間短絡により流れる電流経路を説明する図である。また、図７は、層間短絡により生じる循環電流と磁束との関係を説明する図である。複数巻線モータにおいては、巻線（コイル）は複数回重ねて巻回されてステータに配置される。巻線の層（Ｌａｙｅｒ）は重なった状態になっており、巻線の層間は絶縁されている。例えばモータの回転に伴う振動により層間の絶縁が破壊されると、巻線の層間は短絡する。例えば図５に示すように１組（３０−１）の三相巻線において、Ｕ相の巻線Ｕ１で層間短絡が位置Ｓ１で発生すると、図６の矢印に示すように、巻線４１上に、位置Ｓ１を含んだループ状の電流経路が形成される。図７に示すように、モータ３の回転時には、位置Ｓ１を含んだループ状の電流経路を貫く磁束Φが刻々と変化し、式１で表されるような起電圧ｅが発生する。
【００２６】
【数１】
2020114149.tif 000003
【００２７】
巻線Ｕ１上に層間短絡が発生することで、巻線Ｕ１の抵抗成分及びインダクタンス成分が変化する。巻線Ｕ１上に形成されたループ状の電流経路のインピーダンスをＺとしたとき、この電流経路には式２で表されるような循環電流ｉが流れる。
【００２８】
【数２】
2020114149.tif 000004
【００２９】
このように、層間短絡した位置Ｓ１を含むループ状の電流経路に流れる循環電流ｉのため、複数組の多相巻線における互いに同じ相の巻線に流れる電流の波形を組同士間で相互に比較すると、層間短絡の発生した組の巻線に流れる電流の波形は、層間短絡のない正常な組の巻線に流れる電流の波形とは、異なったものとなる。また、巻線に流れる電流の波形についても、巻線に生じる電圧の波形に対応するので、複数組の多相巻線における互いに同じ相の巻線に生じる電圧の波形を組同士間で相互に比較すると、層間短絡の発生した組の巻線に生じる電圧の波形は、層間短絡のない正常な組の巻線に生じる電圧の波形とは異なったものとなる。同一指令に基づく制御により複数組の各々の多相巻線に同一電圧が印加される複数巻線モータにおいては、いずれの組の多相巻線の巻線にも層間短絡が発生していない場合は、各組を通じて同じ相の巻線についての電流及び電圧の波形は略同一となる。しかし、ある１組の多相巻線の１相に層間短絡が発生すると、当該組における層間短絡が発生した相の巻線についての電流及び電圧の波形は、これと同相の他の組における巻線についての電流及び電圧の波形とは異なったものとなる。そこで、本開示の実施形態では、取得部１１にて各組の多相巻線における個々の相の巻線に対応する電気情報を取得し、判定部１２により、複数組の多相巻線における互いに同じ相の巻線に対し取得部１１が取得した電気情報に基づいて、当該同じ相の巻線のいずれかに層間短絡が発生したか否かを判定する。取得部１１によって取得される電気情報には、例えば、多相巻線の個々の相の巻線に流れる電流の波形、多相巻線の個々の相の巻線に生じる電圧の波形、または、多相巻線における個々の相の巻線に流れる電流が同一となるように制御するための組ごと指令の振幅が含まれる。電気情報が電流の波形である場合、取得部１１は、電流検出部（図示せず）によって検出された電流の波形を取得する。電気情報が電圧の波形である場合、取得部１１は、電圧検出部（図示せず）によって検出された電圧の波形を取得する。電気情報が指令である場合、取得部１１は、モータ制御部２０から指令を取得する。
【００３０】
続いて、短絡検出装置１０による層間短絡検出処理の形態例について、いくつか列記する。
【００３１】
第１の形態では、同一指令に基づく制御により複数組の各々の多相巻線に同一電圧が印加される複数巻線モータにおいて、多相巻線内の各巻線に対応する電気情報として、各組の多相巻線における個々の相の巻線に流れる電流の波形または各組の多相巻線における個々の相の巻線に生じる電圧の波形を取得し、複数組の多相巻線における互いに同じ相の巻線に対し取得された波形の振幅に基づいて、当該相の巻線に層間短絡が発生したか否かを判定する。図８は、第１の形態において複数組の三相巻線のうちの１組のＵ相巻線に層間短絡が発生した場合の電流の波形を例示する図である。取得部１１は、同一指令に基づく制御により複数組の各々の多相巻線に同一電圧が印加されるモータ３の三相巻線内の各巻線に対応する電気情報として、各組の三相巻線における個々の相の巻線に流れる電流の波形または各組の三相巻線における個々の相の巻線に生じる電圧の波形を取得する。図８に示す例では、三相巻線における個々の相の巻線に流れる電流の波形を取得している。判定部１２は、互いに同じ相の巻線に対し取得部１１が取得した波形を組同士の間で相互に比較し、複数組のうちいずれか１組の三相巻線における波形の振幅と、上記複数組のうち他の組の三相巻線における波形の振幅との差が、予め規定された振幅閾値より大きい場合、当該１組の三相巻線の同じ相において層間短絡が発生したと判定する。図８に示す例では、各組の三相巻線のうち、組３０−４におけるＵ相巻線Ｕ４に層間短絡が発生しているので、組３０−４におけるＵ相巻線Ｕ４についての電流の波形の振幅は、組３０−１におけるＵ相巻線Ｕ１、組３０−２におけるＵ相巻線Ｕ２及び組３０−３におけるＵ相巻線Ｕ３についての各電流の波形の振幅とは異なったものとなる。例えば判定部１２は、組３０−４におけるＵ相巻線Ｕ４についての電流の波形の振幅と、組３０−１におけるＵ相巻線Ｕ１、組３０−２におけるＵ相巻線Ｕ２及び組３０−３におけるＵ相巻線Ｕ３についての各電流の波形の振幅との差が、予め規定された振幅閾値より大きい場合、組３０−４におけるＵ相巻線Ｕ４に層間短絡が発生したと判定する。なお、判定部１２により層間短絡の発生の有無を判定する際に用いられる振幅閾値は、波形に乗るノイズに起因する誤検出を防止するために、ノイズレベルよりも十分に大きい値に設定すればよい。
【００３２】
第２の形態では、同一指令に基づく制御により複数組の各々の多相巻線に同一電圧が印加される複数巻線モータにおいて、多相巻線内の各巻線に対応する電気情報として、各組の多相巻線における個々の相の巻線に流れる電流の波形または各組の多相巻線における個々の相の巻線に生じる電圧の波形を取得し、複数組の多相巻線における互いに同じ相の巻線に対し取得された波形の位相に基づいて、当該相の巻線に層間短絡が発生したか否かを判定する。図９は、第２の形態において複数組の三相巻線のうちの１組のＵ相巻線に層間短絡が発生した場合の電流の波形を例示する図である。取得部１１は、同一指令に基づく制御により複数組の各々の多相巻線に同一電圧が印加されるモータ３の三相巻線内の各巻線に対応する電気情報として、各組の三相巻線における個々の相の巻線に流れる電流の波形または各組の三相巻線における個々の相の巻線に生じる電圧の波形を取得する。図９に示す例では、三相巻線内の各巻線に流れる電流の波形を取得している。判定部１２は、互いに同じ相の巻線に対し取得部１１が取得した波形を組同士の間で相互に比較し、複数組のうちいずれか１組の三相巻線における波形の位相と、上記複数組のうち他の組の三相巻線における波形の位相との差が、予め規定された位相閾値より大きい場合、当該１組の三相巻線の同じ相において層間短絡が発生したと判定する。図９に示す例では、各組の三相巻線のうち、組３０−２におけるＵ相巻線Ｕ２に層間短絡が発生したとしている。この場合、組３０−２におけるＵ相巻線Ｕ２ではインダクタンスが低下するので、Ｕ相巻線Ｕ２についての電流の波形の位相は、組３０−１におけるＵ相巻線Ｕ１、組３０−３におけるＵ相巻線Ｕ３及び組３０−４におけるＵ相巻線Ｕ４についての各電流の波形の位相より進む。例えば判定部１２は、組３０−２におけるＵ相巻線Ｕ２についての電流の波形の位相と、組３０−１におけるＵ相巻線Ｕ１、組３０−３におけるＵ相巻線Ｕ３及び組３０−４におけるＵ相巻線Ｕ４についての各電流の波形の位相との差（図中、ａで示す）が、予め規定された位相閾値より大きい場合、組３０−２におけるＵ相巻線Ｕ２に層間短絡が発生したと判定する。なお、判定部１２により層間短絡の発生の有無を判定する際に用いられる位相閾値は、波形に乗るノイズに起因する誤検出を防止するために、ノイズレベルよりも十分に大きい値に設定すればよい。
【００３３】
第３の形態は、同一指令に基づく制御により複数組の各々の多相巻線に同一電圧が印加される複数巻線モータを停止状態から加速させたときに、短絡検出装置１０が層間短絡検出処理を実行するものである。第３の形態では、同一指令に基づく制御により複数組の各々の多相巻線に同一電圧が印加される複数巻線モータにおいて、多相巻線内の各巻線に対応する電気情報として、複数巻線モータを停止状態から加速させたときに各組の多相巻線における個々の相の巻線に流れる電流の波形または各組の多相巻線における個々の相の巻線に生じる電圧の波形を取得し、複数組の多相巻線における互いに同じ相の巻線に対し取得された波形の立ち上がり時間に基づいて、当該相の巻線に層間短絡が発生したか否かを判定する。図１０は、第３の形態において複数組の三相巻線のうちの１組のＵ相巻線に層間短絡が発生した場合の電流の波形を例示する図である。図１０において、縦軸は、モータ３の加速が完了して一定速度で回転しているときにおける電流の振幅で規格化した電流値を示している。すなわち、モータ３の加速が完了して一定速度で回転しているときにおける電流値を１．０（すなわち１００％）としている。電流の波形の「立ち上がり時間」は、規格化された電流値が０．１（すなわち１０％）から０．９（すなわち９０％）に達するまでに要する時間として規定される。取得部１１は、同一指令に基づく制御により複数組の各々の多相巻線に同一電圧が印加されるモータ３の三相巻線内の各巻線に対応する電気情報として、複数巻線モータを停止状態から加速させたときにおいて、各組の多相巻線における個々の相の巻線に流れる電流の波形または各組の多相巻線における個々の相の巻線に生じる電圧の波形を取得する。図１０に示す例では、三相巻線内の各巻線に流れる電流の波形を取得している。例えば判定部１２は、モータ３を停止状態から加速させたときに互いに同じ相の巻線に対し取得部１１が取得した波形の立ち上がり時間を組同士の間で相互に比較し、複数組のうちいずれか１組の波形の立ち上がり時間と、上記複数組のうち他の組の波形の立ち上がり時間との差が、予め規定された立ち上がり時間閾値より大きい場合、当該１組の三相巻線の同じ相において層間短絡が発生したと判定する。図１０に示す例では、各組の三相巻線のうち、組３０−２におけるＵ相巻線Ｕ２に層間短絡が発生したとしている。この場合、組３０−２におけるＵ相巻線Ｕ２ではインダクタンスが低下するので、Ｕ相巻線Ｕ２についての電流の波形の立ち上がり時間は、組３０−１におけるＵ相巻線Ｕ１、組３０−３におけるＵ相巻線Ｕ３及び組３０−４におけるＵ相巻線Ｕ４についての各電流の波形の立ち上がり時間よりも短くなる。例えば判定部１２は、組３０−２におけるＵ相巻線Ｕ２についての電流の波形の立ち上がり時間と、組３０−１におけるＵ相巻線Ｕ１、組３０−３におけるＵ相巻線Ｕ３及び組３０−４におけるＵ相巻線Ｕ４についての各電流の波形の立ち上がり時間との差が、予め規定された立ち上がり時間閾値より大きい場合、組３０−２におけるＵ相巻線Ｕ２に層間短絡が発生したと判定する。なお、判定部１２により層間短絡の発生の有無を判定する際に用いられる立ち上がり時間閾値は、波形に乗るノイズに起因する誤検出を防止するために、ノイズレベルよりも十分に大きい値に設定すればよい。なお、第３の形態においては、電流の波形の立ち上がり時間に基づいて層間短絡の発生の有無を判定するが、この変形例として、電流の波形の遅れ時間に基づいて層間短絡の発生の有無を判定してもよい。電流の波形の「遅れ時間」は、モータ３の加速を開始してから規格化された電流値が０．５（すなわち５０％）に達するまでに要する時間として規定される。本変形例によれば、判定部１２は、モータ３を停止状態から加速させたときに互いに同じ相の巻線に対し取得部１１が取得した波形の遅れ時間を組同士の間で相互に比較し、複数組のうちいずれか１組の波形の遅れ時間と、上記複数組のうち他の組の波形の遅れ時間との差が、予め規定された遅れ時間閾値より大きい場合、当該１組の三相巻線の同じ相において層間短絡が発生したと判定する。なお、判定部１２により層間短絡の発生の有無を判定する際に用いられる遅れ時間閾値は、波形に乗るノイズに起因する誤検出を防止するために、ノイズレベルよりも十分に大きい値に設定すればよい。
【００３４】
上述の第１〜第３の形態による短絡検出装置１０による層間短絡検出処理は、単独で実行されてもよく、複数組み合わせて実行されてもよい。例えば第１〜第３の形態のうちの２つまたは３つを組み合わせて実行すれば、第１〜第３の形態の各々を単独で実行するよりも、層間短絡検出精度が高くなる。
【００３５】
第４の形態では、多相巻線における個々の相の巻線に流れる電流が同一となるように組ごとの指令にて個別に制御される複数巻線モータにおいて、多相巻線内の各巻線に対応する電気情報として、多相巻線内の各巻線に対応する指令の振幅をモータ制御部２９から取得し、各組について取得された同じ相の巻線に対応する指令の振幅に基づいて、当該相の巻線に層間短絡が発生したか否かを判定する。層間短絡判定に用いられる指令は、電流指令、トルク指令、または速度指令のいずれであってもよい。図１１は、第４の形態による短絡検出処理が実行される短絡検出装置、モータ制御装置及び数値制御システムを示す図である。モータ制御部２０は、モータ３の三相巻線内の各巻線に流れる電流が同一となるように組ごとの指令にて個別に制御する。すなわち、モータ制御部２０は、モータ３の各組の三相巻線に駆動電力を供給する第１のアンプ４−１、第２のアンプ４−２、第３のアンプ４−３及び第４のアンプ４−４の各々に対し、モータ３の三相巻線内の各巻線に流れる電流が同相については同一となるように個別に指令を生成して出力する。モータ制御部２０による指令の生成にあたっては、各組の三相巻線の各巻線に流れる電流が、モータ制御部２０にフィードバックされる。上述のように、ある組の三相巻線において層間短絡の発生した相の巻線に流れる電流の波形は、これと同相の他の組の層間短絡のない正常な巻線に流れる電流の波形とは異なったものとなる。いずれの組の多相巻線の巻線にも層間短絡が発生していない場合は、各組を通じて同じ相の巻線についての指令の振幅は略同一となる。しかし、ある１組の多相巻線の１相に層間短絡が発生すると、当該組における層間短絡が発生した相の巻線についての電流の波形は、これと同相の他の組における巻線についての電流の波形とは異なったものとなる。このとき、モータ制御部２０は、層間短絡の発生した組の当該相の巻線に流れる電流がこれと同相の他の組の層間短絡のない正常な巻線に流れる電流と同一となるよう、層間短絡の発生した相の巻線に対応する指令を生成するので、層間短絡の発生した相の巻線に対応する指令は、これと同相の他の組における巻線に対応する指令とは異なったものとなる。そこで第４の形態では、各組について取得された同じ相の巻線に対応する指令の振幅に基づいて、当該相の巻線に層間短絡が発生したか否かを判定する。より具体的には取得部１１は、多相巻線内の各巻線に流れる電流が同一となるように組ごとの指令にて個別に制御されるモータ３の三相巻線内の各巻線に対応する電気情報として、多相巻線における個々の相の巻線に流れる電流が同一となるように制御する各組ごとの指令の振幅をモータ制御部２０から取得する。判定部１２は、互いに同じ相の巻線に対し取得部１１が取得した指令の振幅を組同士の間で相互に比較し、複数組のうちいずれか１組の指令の振幅と、上記複数組のうち他の組の指令の振幅との差が、予め規定された指令閾値より大きい場合、当該１組の多相巻線の同じ相において層間短絡が発生したと判定する。なお、判定部１２により層間短絡の発生の有無を判定する際に用いられる指令閾値は、各巻線からフィードバックされた電流に含まれるノイズに起因する誤検出を防止するために、ノイズレベルよりも十分に大きい値に設定すればよい。
【００３６】
なお、多相巻線内の各巻線に流れる電流が同一となるように組ごとの指令にて個別に制御される複数巻線モータにおいても、第１〜第３の形態のように、多相巻線内の各巻線に対応する電気情報として、各組の多相巻線における個々の相の巻線に流れる電流の波形または各組の多相巻線における個々の相の巻線に生じる電圧の波形を取得し、複数組の多相巻線における互いに同じ相の巻線に対し取得された波形の振幅、位相もしくは立ち上がり時間（遅れ時間）に基づいて、当該相の巻線に層間短絡が発生したか否かを判定してもよい。図１２は、多相巻線内の各巻線に流れる電流が同一となるように組ごとの指令にて個別に制御される複数巻線モータに対して、第１〜第３の形態による短絡検出処理が実行される短絡検出装置、モータ制御装置及び数値制御システムを示す図である。モータ制御部２０は、モータ３の各組の三相巻線に駆動電力を供給する第１のアンプ４−１、第２のアンプ４−２、第３のアンプ４−３及び第４のアンプ４−４の各々に対し、モータ３の三相巻線内の各巻線に流れる電流が同相については同一となるように個別に指令を生成して出力する。モータ制御部２０による指令の生成にあたっては、各組の三相巻線の各巻線に流れる電流が、モータ制御部２０にフィードバックされる。取得部１１は、同一指令に基づく制御により複数組の各々の多相巻線に同一電圧が印加されるモータ３の三相巻線内の各巻線に対応する電気情報として、各組の多相巻線における個々の相の巻線に流れる電流の波形または各組の多相巻線における個々の相の巻線に生じる電圧の波形を取得する。モータ制御部２０は、層間短絡の発生した相の巻線に流れる電流がこれと同相の他の組の層間短絡のない正常な巻線に流れる電流と同一となるよう、層間短絡の発生した相の巻線に対応する指令を生成するので、層間短絡の発生した相の巻線に対応する指令は、これと同相の他の組における巻線に対応する指令とは大きく異なったものとなる。モータ制御部２０により、層間短絡の発生した組の相の巻線に流れる電流がこれと同相の他の組の層間短絡のない正常な巻線に流れる電流と同一となるように制御できているならば、図１１を参照して説明したように第４の形態にて指令の振幅に基づき層間短絡を検出することができる。しかしながら、モータ制御部２０により、層間短絡の発生した組の相の巻線に流れる電流がこれと同相の他の組の層間短絡のない正常な巻線に流れる電流と同一となるように制御できていない場合は、取得部１１により取得された各組の三相巻線内の各巻線に流れる電流または三相巻線内の各巻線に生じる電圧の波形に基づいて、第１〜第３の形態のいずれかにより、当該相の巻線に層間短絡が発生したか否かを判定してもよい。
【００３７】
上述した短絡検出装置１０は、図５のＳ１に示すような複数巻線モータの多相巻線の同相中の巻線の層間短絡を検出することができるが、図５のＳ２に示すような複数巻線モータの三相巻線における異相間の短絡についても検出することができる。同一指令に基づく制御により複数組の各々の三相巻線に同一電圧が印加されるモータ３の１組（例えば３０−１）の三相巻線において、例えば図５に示すようにＵ相の巻線Ｕ１とＷ相の巻線Ｗ１との間の短絡が位置Ｓ２で発生すると、組３０−１の三相巻線において層間短絡の発生したＵ相の巻線Ｕ１に流れる電流及びＷ相の巻線Ｗ１に流れる電流の波形は、これらＵ相及びＷ相の他の組の層間短絡のない正常な巻線に流れる電流の波形とは異なったものとなる。よって、上述した第１〜第３の形態による層間短絡検出処理にて、短絡を検出することができる。また、三相巻線内の各巻線に流れる電流が同一となるように組ごとの指令にて個別に制御されるモータ３についても、短絡の発生したＵ相の巻線Ｕ１及びＷ相の巻線Ｗ１に対応する指令は、これらＵ相及びＷ相の他の組における巻線に対応する指令とは大きく異なったものとなる。よって、第４の形態層間短絡検出処理にて、短絡を検出することもできる。
【００３８】
上述した短絡検出装置１０は、ソフトウェアプログラム形式で構築することができ、例えば、モータ制御装置１内にある例えばＤＳＰやＦＰＧＡなどの演算処理装置や、数値制御システム１００内にある例えばＤＳＰやＦＰＧＡなどの演算処理装置を、このソフトウェアプログラムに従って動作させることで、短絡検出装置１０の機能を実現することができる。例えば、モータ制御装置１や数値制御システム１００では、各巻線に流れる電流や各巻線に生じる電圧を検出してモータ３の制御に用いているが、短絡検出装置１０は、モータ３の制御に用いられる各巻線の電流もしくは電圧の波形またはモータ３を制御するための指令を、層間短絡判定処理にも利用するので、従来のように専用装置（ハードウェア）を用いた測定は不要であり、また、モータ３の動作状態に依存せずに層間短絡判定処理を実行することもできる。また、短絡検出装置１０は、モータ制御装置１や数値制御システム１００によるモータ３の制御中に得られる各巻線の電流もしくは電圧の波形またはモータ３を制御するための指令に基づいて層間短絡判定処理を行うので、従来のような層間短絡のない正常なモータの電流波形を事前に測定する手間を省くことができる。
【符号の説明】
【００３９】
１    モータ制御装置
２    電源部
３    モータ
４−１    第１のアンプ
４−２    第２のアンプ
４−３    第３のアンプ
４−４    第４のアンプ
１０    短絡検出装置
１１    取得部
１２    判定部
２０    モータ制御部
３０−１、３０−２、３０−３、３０−４    三相巻線の組
３１    ロータ
４２    スロット
４３    ステータ
１００    数値制御システム
Ｕ１、Ｕ２、Ｕ３、Ｕ４    Ｕ相巻線
Ｖ１、Ｖ２、Ｖ３、Ｖ４    Ｖ相巻線
Ｗ１、Ｗ２、Ｗ３、Ｗ４    Ｗ相巻線
【図１】
2020114149.tif 000005
【図２】
2020114149.tif 000006
【図３】
2020114149.tif 000007
【図４】
2020114149.tif 000008
【図５】
2020114149.tif 000009
【図６】
2020114149.tif 000010
【図７】
2020114149.tif 000011
【図８】
2020114149.tif 000012
【図９】
2020114149.tif 000013
【図１０】
2020114149.tif 000014
【図１１】
2020114149.tif 000015
【図１２】
2020114149.tif 000016